(57)【要約】      （修正有）【課題】特定区域内の気流の方向と濾過効率の維持を達成することができる、移動式バッグインバッグアウト排気濾過装置を提供する。【解決手段】移動式バッグインバッグアウト排気濾過装置１は、本体２と、ブロワー３と、２つのプッシュ機構４と、第１フィルター５と、第２フィルター６と、第１カバー７と、第２カバー８と、２つのバッグ９を含み、第１フィルターが本体の第１スロット２３内に挿嵌され、第２フィルターが本体の第２スロット２４内に挿嵌され、主に本体の吸気口２２１から特定区域内の空気を本体の空気通路に吸入し、第１スロットに設置された第１フィルターと第２スロットに設置された第２フィルターで濾過を行い、最後にブロワーにより濾過後の空気を排出し、これにより特定区域内の気流の方向と排出する空気の濾過効率維持を達成する。【選択図】図２
0003235060.tif 000002
【実用新案登録請求の範囲】
【請求項１】
移動式バッグインバッグアウト排気濾過装置であって、本体と、ブロワーと、２つのプッシュ機構と、第１フィルターと、第２フィルターと、第１カバーと、第２カバーと、２つのバッグを含み、
前記本体が内部に空気通路に連接された収容空間を備え、前記収容空間の外側に第１スロットと第２スロットが設置され、前記本体の外側に監視制御モジュールと排気孔が設置され、
前記ブロワーが、前記本体の収容空間底部に設置され、
前記２つのプッシュ機構が、前記第２スロット内に設置され、回転部材と、２つのめねじ付きスリーブと、２つのクランクと、支持部材を含み、
前記第１フィルターが前記第１スロット内に挿嵌され、
前記第２フィルターが挿嵌第２スロット内に挿嵌され、
前記第１カバーが、前記本体の前記第１スロットを覆うために用いられ、
前記第２カバーが、前記本体の前記第２スロットを覆うために用いられ、
前記２つのバッグが、前記第１スロットと前記第２スロット上にそれぞれに被装される、
ことを特徴とする、移動式バッグインバッグアウト排気濾過装置。
【請求項２】
前記空気通路の外側に吸気口が設置され、前記空気通路内に複数のガイドプレートが設置される、ことを特徴とする、請求項１に記載の移動式バッグインバッグアウト排気濾過装置。
【請求項３】
前記本体の外側にサンプリング孔を備えた排気孔が設置され、前記排気孔が前記ブロワーに連接され、前記本体の外側底部に複数のホイールが設置される、ことを特徴とする、請求項１に記載の移動式バッグインバッグアウト排気濾過装置。
【請求項４】
前記第１スロット内に、前記第１フィルターの挿嵌に用いるガイド溝が設置され、前記ガイド溝の下方に少なくとも１つの紫外線ランプが設置される、ことを特徴とする、請求項１に記載の移動式バッグインバッグアウト排気濾過装置。
【請求項５】
前記第１スロットの側縁上に複数の植込みボルトと、少なくとも１つのサンプリング孔と、少なくとも１つの観測孔が設置される、ことを特徴とする、請求項１に記載の移動式バッグインバッグアウト排気濾過装置。
【請求項６】
前記第２スロット内に、前記第２フィルターの挿嵌に用いる２つの対応するガイド溝が設置され、前記２つのプッシュ機構が前記２つのガイド溝内に設置される、ことを特徴とする、請求項１に記載の移動式バッグインバッグアウト排気濾過装置。
【請求項７】
前記第２スロットの側縁上に複数の植込みボルトと、少なくとも１つのサンプリング孔が設置される、ことを特徴とする、請求項１に記載の移動式バッグインバッグアウト排気濾過装置。
【請求項８】
前記監視制御モジュールが、２つのスイッチと、２つの差圧計と、２つのセンサーと、調整器を含み、前記２つのセンサーが前記第１スロットと前記第２スロットの内側にそれぞれ設置される、ことを特徴とする、請求項１に記載の移動式バッグインバッグアウト排気濾過装置。
【請求項９】
前記プッシュ機構の２つのめねじ付きスリーブが、前記回転部材上に被着され、かつ前記２つのめねじ付きスリーブ上にクランクがそれぞれ設置され、前記クランクを介して前記支持部材に連接される、ことを特徴とする、請求項１に記載の移動式バッグインバッグアウト排気濾過装置。
【請求項１０】
前記第１カバー上に複数の穿通孔と、複数の螺合部材と、少なくとも１つの取っ手部が設置される、ことを特徴とする、請求項１に記載の移動式バッグインバッグアウト排気濾過装置。
【請求項１１】
前記第２カバー上に複数の穿通孔と、複数の螺合部材と、少なくとも１つの取っ手部が設置される、ことを特徴とする、請求項１に記載の移動式バッグインバッグアウト排気濾過装置。
【考案の詳細な説明】
【技術分野】
【０００１】
本考案は移動式バッグインバッグアウト排気濾過装置に関し、特に、容易に移動でき、特定区域内の気流の方向と濾過効率の維持を達成することができる、移動式バッグインバッグアウト排気濾過装置に関する。
【背景技術】
【０００２】
産業と科学技術の発展に伴い、人々の生活環境はより便利になる一方で、様々な程度の環境汚染やウイルスが発生しており、その中でも大気汚染は現在最も緊急に解決しなければならない問題となっている。また、近年は空気感染する新しいウイルスや感染症が多く出現しているため、濾過レベルや機能が異なる空気濾過装置が登場している。しかしながら、現在市販されている空気清浄機の多くは、その濾過効果に限界があるだけでなく、さまざまな種類のほこりや細菌、ウイルス、異物などを同時に濾過することはできない。また、これらの空気濾過装置は濾過の風速調整や負圧の発生ができないため、濾過効率が非常に低いことに加えて、多くの種類の細菌や異物を濾過することができない。そこで、上述の問題を解決するために、さまざまな種類のほこりや細菌、異物を同時に濾過でき、さまざまな場面に合わせていつでも移動できる濾過システムを提供することが、本考案が解決を図る技術的課題となっている。
【考案の概要】
【考案が解決しようとする課題】
【０００３】
本考案の主な目的は、特定区域内の気流の方向と濾過効率の維持を達成することができる、移動式バッグインバッグアウト排気濾過装置を提供することにある。
【課題を解決するための手段】
【０００４】
本考案の移動式バッグインバッグアウト排気濾過装置は、本体と、ブロワーと、２つのプッシュ機構と、第１フィルターと、第２フィルターと、第１カバーと、第２カバーと、２つのバッグで構成され、そのうち、該第１フィルターが該本体の第１スロット内に挿嵌され、該第２フィルターが該本体の第２スロット内に挿嵌され、主に該本体の吸気口から特定区域内の空気を該本体の空気通路に吸入し、該第１スロットに設置された該第１フィルターと該第２スロットに設置された該第２フィルターで濾過を行い、最後に該ブロワーにより濾過後の空気を排出し、これにより特定区域内の気流の方向と排出する空気の濾過効率維持を達成する。
【図面の簡単な説明】
【０００５】
【図１】本考案の立体外観図である。
【図２】本考案の立体分解図である。
【図３】本考案の部分透視図である。
【図４】本考案の断面図である。
【図５】本考案のプッシュ機構の立体図である。
【図６】本考案の最良の実施例の概略図１である。
【図７】本考案の最良の実施例の概略図２である。
【図８】本考案の最良の実施例の概略図３である。
【図９】本考案の最良の実施例の概略図４である。
【図１０】本考案の最良の実施例の概略図５である。
【考案を実施するための形態】
【０００６】
図１、図２、図３、図４、図５、図６、図７、図８、図９、図１０に本考案の立体外観図、立体分解図、部分透視図、断面図、プッシュ機構の立体図、最良の実施例の概略図をそれぞれ示す。これらの図から分かるように、本考案の移動式バッグインバッグアウト排気濾過装置１は主に、本体２と、ブロワー３と、２つのプッシュ機構４と、第１フィルター５と、第２フィルター６と、第１カバー７と、第２カバー８と、２つのバッグ９を含む。
【０００７】
該本体２は、内部に空気通路２２に連接された収容空間２１を備え、該収容空間２１の外側に第１スロット２３と第２スロット２４が設置され、該本体２の外側に監視制御モジュール２５と排気孔２６が設置される。
【０００８】
該ブロワー３は、該本体２の収容空間２１底部に設置される。
【０００９】
該２つのプッシュ機構４は、該第２スロット２４内に設置され、回転部材４１と、２つのめねじ付きスリーブ４２と、２つのクランク４３と、支持部材４４を含む。
【００１０】
該第１フィルター５は、該第１スロット２３内に挿嵌される。
【００１１】
該第２フィルター６は、該第２スロット２４内に挿嵌される。
【００１２】
該第１カバー７は、該本体２の該第１スロット２３を覆うために用いられる。
【００１３】
該第２カバー８は、該本体２の該第２スロット２４を覆うために用いられる。
【００１４】
該２つのバッグ９は、該第１スロット２３と該第２スロット２４上にそれぞれ被装される。
【００１５】
そのうち、該空気通路２２の外側に吸気口２２１が設置され、該空気通路２２内に複数のガイドプレート２２２が設置される。
【００１６】
そのうち、該本体２の外側に、サンプリング孔２６１を備えた排気孔２６が設置され、該排気孔２６が該ブロワー３に連接され、該本体２の外側底部に複数のホイール２８が設置される。
【００１７】
そのうち、該第１スロット２３内に該第１フィルター５の挿嵌に用いるガイド溝２３１が設置され、該ガイド溝２３１の下方に少なくとも１つの紫外線ランプ２７が設置される。
【００１８】
そのうち、該第１スロット２３の側縁上に複数の植込みボルト２３２と、少なくとも１つのサンプリング孔２３３と、少なくとも１つの観測孔２３４が設置される。
【００１９】
そのうち、該第２スロット２４内に、該第２フィルター６の挿嵌に用いる２つの対応するガイド溝２４１が設置され、かつ該２つのプッシュ機構４が該２つのガイド溝２４１内に設置される。
【００２０】
そのうち、該第２スロット２４の側縁上に複数の植込みボルト２４２と、少なくとも１つのサンプリング孔２４３が設置される。
【００２１】
そのうち、該監視制御モジュール２５が、２つのスイッチ２５１と、２つの差圧計２５２と、２つのセンサー２５３と、調整器２５４を含み、該２つのセンサー２５３が該第１スロット２３と該第２スロット２４の内側にそれぞれ設置される。
【００２２】
そのうち、該プッシュ機構４の２つのめねじ付きスリーブ４２が該回転部材４１上に被着され、かつ該２つのめねじ付きスリーブ４２上にクランク４３がそれぞれ設置され、該クランク４３を介して支持部材４４に連接され、該支持部材４４が該第２スロット２４のガイド溝２４１内に配置される。
【００２３】
そのうち、該第１カバー７上に複数の穿通孔７１と、複数の螺合部材７１１と、少なくとも１つの取っ手部７２が設置される。
【００２４】
そのうち、該第２カバー８上に複数の穿通孔８１と、複数の螺合部材８２と、少なくとも１つの取っ手部８３が設置される。
【００２５】
本考案の移動式バッグインバッグアウト排気濾過装置１は、主にブロワー３が発生する吸入力により、外界の空気を吸気口２２１からまず空気通路２２に進入させ、続いて第１スロット２３に挿嵌された第１フィルター５と第２スロット２４に挿嵌された第２フィルター６を通過させることにより、第１フィルター５と第２フィルター６で外界の空気中のほこりや細菌、ウイルス、異物を濾過し、最後にブロワー３が濾過後の空気を排気孔２６に導入して外界に排出する。この持続的濾過効果が発生する気流方向を通じて、特定区域内の空気の品質を維持することができる。
【００２６】
上述を受け、外界の空気が第１フィルター５の濾過を経た後、すぐにガイド溝２３１下方に設置された紫外線ランプ２７の照射を受けることで、殺菌の目的が達成され、続いて第２フィルター６の濾過を経て、最善の濾過効果が達成される。
【００２７】
また、空気通路２２に設置された複数のガイドプレート２２２は、主に外界の空気が空気通路２２に進入した後、これらガイドプレート２２２のガイドを通じて外界の空気の流動速度低下を防止し、流動速度を維持しながら第１フィルター５と第２フィルター６を円滑に通過させることで、最善の濾過効果が達成される。
【００２８】
また、第１フィルター５が第１スロット２３に設置されたガイド溝２３１を通じてその内部に直接挿嵌され、第２フィルター６は第２スロット２４内に設置された２つの対応するガイド溝２４１を通じてその内部に挿嵌されるほか、２つの対応するガイド溝２４１内にさらにプッシュ機構４が設置され、図７に示すように、プッシュ機構４の回転部材４１を回動させると、支持部材４４の高低位置を調整することができ、支持部材４４が上に移動されたとき、第２フィルター６を押圧して、第２フィルター６を第２スロット２４内に安定的に配置することができる。第２フィルター６の取り外しまたは交換が必要なときは、プッシュ機構４の回転部材４１を逆に回動させて支持部材４４を下に移動させ、支持部材４４による第２フィルター６の押圧を解除し、第２フィルター６を第２スロット２４内から円滑に取り出して交換を行うことができる。
【００２９】
また、第１カバー７は主にその上に設置された複数の穿通孔７１内に第１スロット２３側縁の複数の植込みボルト２３２を挿通し、螺合部材７１１を該植込みボルト２３２の末端に螺着することで、第１カバー７により第１スロット２３をしっかりと覆うことができる。第２カバー８は同様にその上に設置された複数の穿通孔８１内に第２スロット２４側縁の複数の植込みボルト２４２を挿通し、螺合部材８１１を該植込みボルト２４２の末端に螺着することで、第２カバー８により第２スロット２４をしっかりと覆うことができる。
【００３０】
また、第１スロット２３側縁上に設置された観測孔２３４は、主にガイド溝２３１の下方、すなわち第１フィルター５の下方に設置された紫外線ランプ２７が照射を継続しているか否かを観測するために用いられ、第１スロット２３と第２スロット２４の側縁上に設置されたサンプリング孔２３３とサンプリング孔２４３は、主にオペレーターが該サンプリング孔２３３と該サンプリング孔２４３から第１フィルター５または第２フィルター６の濾過を経た後の空気を取得して、第１フィルター５と第２フィルター６の交換が必要か否かを把握するために用いることができる。当然、排気孔２６上に設置されたサンプリング孔２６１は、同様にオペレーターが排気孔２６から排出される空気を該サンプリング孔２６１から取得して検査するために用いることができる。
【００３１】
また、監視制御モジュール２５の２つのスイッチ２５１は、主に、紫外線ランプ２７とブロワー３のオン／オフにそれぞれ用いられ、監視制御モジュール２５の２つのセンサー２５３は、第１スロット２３と第２スロット２４の内側にそれぞれ設置され、主に外界の空気が第１フィルター５と第２フィルター６の濾過を経た後の差圧数値を測定し、２つの差圧計２５２を用いて表示するために用いられ、測定された差圧数値の異常時は、第１フィルター５または第２フィルター６の交換が必要であることが分かる。調整器２５４は、異なる濾過に必要な流動速度に合わせてブロワー３の風速を制御するために用いられる。
【００３２】
また、本考案の移動式バッグインバッグアウト排気濾過装置１は主に外界の空気を吸入して濾過した後排出するものであるため、本体２外側底部に設置された複数のホイール２８により、必要に応じて移動式バッグインバッグアウト排気濾過装置１を濾過が必要な特定の空間内に移動させることができる。当然、濾過後の空気を該空間内から排出する必要がある場合、本体２外側の排気孔２６に外部輸送管路を接続すればよく、非常に広範な運用が可能である。
【００３３】
また、第１スロット２３と第２スロット２４上に被装されたバッグ９は、主に第１フィルター５と第２フィルター６の取り外し用途に用いられる。図１０に示すように、第１フィルター５と第２フィルター６を取り付ける必要があるときは、オペレーターが第１フィルター５と第２フィルター６に接触して汚染を引き起こすことがないように、先に第１フィルター５と第２フィルター６をバッグ９内に入れる。第１フィルター５と第２フィルター６を取り外す必要があるときは、オペレーターが第１フィルター５と第２フィルター６上に吸着された濾過後のほこりや細菌、異物に接触することがないように、第１フィルター５と第２フィルター６を直接バッグ９内に入れる。この操作方法が即ち所謂バッグインバッグアウトである。
【符号の説明】
【００３４】
１            移動式バッグインバッグアウト排気濾過装置
２            本体
２１          収容空間
２２          空気通路
２２１        吸気口
２２２        ガイドプレート
２３          第１スロット
２３１        ガイド溝
２３２        植込みボルト
２３３        サンプリング孔
２３４        観測孔
２４          第２スロット
２４１        ガイド溝
２４２        植込みボルト 
２４３        サンプリング孔
２５          監視制御モジュール
２５１        スイッチ
２５２        差圧計
２５３        センサー
２５４        調整器
２６          排気孔
２６１        サンプリング孔
２７          紫外線ランプ
２８          ホイール
３            ブロワー
４            プッシュ機構
４１          回転部材
４２          めねじ付きスリーブ
４３          クランク 
４４          支持部材
５            第１フィルター
６            第２フィルター
７            第１カバー
７１          穿通孔
７１１        螺合部材
７２          取っ手部
８            第２カバー
８１          穿通孔 
８１１        螺合部材
８２          取っ手部
９            バッグ
【図１】
0003235060.tif 000003
【図２】
0003235060.tif 000004
【図３】
0003235060.tif 000005
【図４】
0003235060.tif 000006
【図５】
0003235060.tif 000007
【図６】
0003235060.tif 000008
【図７】
0003235060.tif 000009
【図８】
0003235060.tif 000010
【図９】
0003235060.tif 000011
【図１０】
0003235060.tif 000012